(57)【要約】【課題】  外部機器の詳細情報閲覧時における閲覧者の作業負担を軽減させる。【解決手段】  外部機器１内には、外部機器１の現在及び過去の機器状態（例えば、起動、起動完了、フォーマット、その他のイベント発生など）を記録する機器状態格納領域１０と、ネットワーク５内における情報検索機器２の位置を特定するURL(Uniform Resource Locator)を保持するURL格納領域６と、外部機器１が機器状態格納領域１０に保存する情報に対応した情報コード８とこの情報について簡潔に表した簡略メッセージ９とを対にして格納する情報コード・簡略メッセージ格納領域７と、WWWブラウザ４からの要求を受け付けるためのWWWサーバ１４と、URL格納領域６にリンクされている情報検索機器に保持されている情報を参照・設定する処理を行うためのURL参照・設定画面作成プログラム１１と、URL格納領域６に保持された情報を更新する処理を行うためのURL設定プログラム１２と、機器状態格納領域１０に保存された情報を参照するための処理を行う機器状態表示画面作成プログラム１３と、が設けられている。【選択図】  図２
2005242578.tif 000002
【特許請求の範囲】
【請求項１】
ＷＷＷブラウザ機能を有するクライアントと、ＷＷＷサーバ機能を有する外部機器と、ＷＷＷサーバ機能と前記外部機器に関する詳細資料データベースとを有する情報検索機器と、がネットワーク接続された外部機器に関する詳細資料の閲覧システムであって、
前記外部機器は、前記詳細情報の検索キーを取得又は保持する機能を有しており、
前記情報検索機器は、前記検索キーに基づく前記クライアントからの前記詳細情報検索要求に応じて、前記詳細資料データベースを検索するデータベースシステムを有していることを特徴とする閲覧システム。
【請求項２】
前記外部機器は、前記クライアントが前記情報検索機器に対して前記検索キーを送信する際に用いるURLを保持するURL格納領域を有しており、該URL格納領域に保持されたURL情報は、前記ＷＷＷブラウザから参照し、設定することが可能であることを特徴とする請求項１に記載の閲覧システム。
【請求項３】
ＷＷＷブラウザ機能を有するクライアントと、ＷＷＷサーバ機能を有する外部機器と、
ＷＷＷサーバ機能と前記外部機器に関する詳細資料データベースとを有する情報検索機器と、がネットワーク接続されたシステムにおける外部機器に関する詳細資料の閲覧方法であって、
前記クライアントが、
前記外部機器に対して前記詳細資料の送信を要求するステップと、
要求した前記詳細情報を前記詳細資料データベース内において検索するための検索キーを含めた情報として前記外部機器から受け取るステップと、
受け取った前記検索キーを前記情報検索機器に送るステップと、
前記検索キーに基づいて前記詳細資料データベースの検索により得られた詳細資料を受け取るステップと
を有することを特徴とする方法。
【請求項４】
ＷＷＷブラウザと表示部とを有するクライアントと、第１のＷＷＷサーバを有する外部機器と、第２のＷＷＷサーバと前記外部機器に関する詳細資料データベースとを有する情報検索機器と、がネットワーク接続されたシステムにおける外部機器に関する詳細資料の閲覧方法であって、
前記ＷＷＷブラウザが、ＵＲＬ参照・設定画面に対応付けされたＵＲＬのファイルを送るように前記外部機器に対して要求するステップと、
前記外部機器に設けられたＵＲＬ格納領域に保存された情報を取得し、ＵＲＬ参照・設定画面を表示させるための出力内容を、要求されたファイルの代わりに前記ＷＷＷブラウザに返すステップと、
前記ＷＷＷブラウザが、前記第１のＷＷＷサーバから返送されてきた出力内容に基づいて、ＵＲＬ参照・設定画面を前記表示部に表示するステップと、
前記ＷＷＷブラウザが、前記外部機器に対して、該外部機器の状態表示画面に対応付けされたＵＲＬのファイル取得要求を行った場合に、前記外部機器の状態表示画面を表示させるための出力内容を前記ＷＷＷブラウザに返すステップと、
該外部機器の状態表示画面において、該外部機器の状態表示画面内に配置された詳細情報表示を促す操作を行うことにより、前記ＷＷＷブラウザが、前記外部機器の状態表示画面を表示するためのページ内に含めた前記情報検索機器のＵＲＬに対して、外部機器の状態表示フォーム内の選択された外部機器状態簡略メッセージに関する情報を検索する旨の要求を行うステップと、
前記第２のＷＷＷサーバが、前記ＷＷＷブラウザからの情報検索要求に応じて、前記ＷＷＷブラウザからの検索条件に基づいて該情報検索機器内の詳細資料データベース内を検索し、検索条件に合致する詳細資料を詳細情報表示画面に表示するための内容として出力するステップと、
前記ＷＷＷブラウザが、前記情報検索機器から返送されてきた出力内容に基づいて前記詳細情報表示画面を前記表示部に表示させるステップと、
を有することを特徴とする外部機器に関する詳細資料の閲覧方法。
【発明の詳細な説明】
【技術分野】
【０００１】
本発明はWWWサーバを有する外部機器に関するより詳細な情報の閲覧方法に関する。
【背景技術】
【０００２】
従来、WWWサーバを有する外部機器が保持する情報の参照に関する技術として、例えば、下記の技術が知られている。この技術は、遠隔地にあるネットワークの監視装置に関するものであり、遠隔地のネットワークに接続された監視装置が、接続されているLAN上を流れる通信情報を受信し、受信した通信情報に基づいて統計情報を作成し、監視装置に内蔵されたWWWサーバ機能を通じてWWWクライアントから上記統計情報を参照できるようにしたものである（例えば、特許文献１参照）。監視装置の取得した情報や監視装置自体の状態を参照する手段として、監視装置に内蔵されたWWWサーバ機能を用いる方法によれば、特別な専用端末を必要とせず、WWWクライアント機能を有する一般的なブラウザがあれば情報を閲覧することが可能となる。
【０００３】
【特許文献１】特開平１１−５５２６２号公報
【発明の開示】
【発明が解決しようとする課題】
【０００４】
しかしながら、情報参照対象がＲＡＩＤなどの専用機器の場合は、機器内に十分なデータ領域が確保しづらいために参照可能な情報の量が少なく、簡略されたものになりがちである。そのため、さらに詳しい情報を得ようとすれば、対象の専用機器から取得した情報に基づいて別の資料を参照する必要があり、別資料内の該当資料を検索する手間がかかるという問題がある。尚、WWWクライアント機能を有する一般的なブラウザではなく、検索機能を備えた専用端末を用いれば、端末内で対象の機器から情報取得、取得した情報を元に別資料を検索、表示することが可能となるが、この場合には専用端末が必要となる上に、外部機器から情報参照が可能なのは専用端末を設置した場所に限定されるという問題もある。
【０００５】
本発明の目的は、WWWクライアント機能を有する一般的なブラウザのみで対象とする外部機器から取得した情報に関して、より詳細な情報を検索し、閲覧する方法を提供することにある。
【課題を解決するための手段】
【０００６】
上記目的を達成する為に、本発明の外部機器の詳細資料の閲覧方法は、一般的なWWWブラウザが動作するパソコン/ワークステーションと、WWWサーバ機能を内蔵し、情報の参照・設定を一般的なWWWブラウザにて行う形態を持つ外部機器と、WWWサーバ機能とデータベース機能を所持し、WWWクライアントからの検索要求に対しその検索結果をHTMLページにして要求元に返す機能を持った情報検索機器がネットワークに接続され互いに通信可能な環境において、前記パソコン/ワークステーション上で動作している一般的なWWWブラウザが前記外部機器に対して行った情報参照要求に対し前記外部機器が応答・送信したHTMLページを元に、同HTMLページに対して選択された項目について前記WWWブラウザが前記情報検索機器に対して検索要求を発し、同要求に対して前記情報検索機器が検索実行、要求元のWWWブラウザに対して応答のHTMLページの作成、送信することで先に選択された項目にまつわる情報が検索可能となる、外部機器以外の情報検索機器と連係をすることを特徴とする。
【０００７】
さらに、前記情報検索機器に対する情報検索を要求する際に使用するURLを、前記外部機器が内部のURL格納領域に保持し、またURL格納領域に保持された情報を一般的なWWWブラウザから参照、設定することが可能とする。
【発明の効果】
【０００８】
本発明によれば、対象の外部機器の専用端末を必要とせずに参照した情報についての詳細な情報を検索・閲覧することが可能となる。従って、情報を得る際の種々の制約が少なくなり、情報取得に対する利便性が向上する。また対象の外部機器に改変が施された場合に、情報検索機器のみに関して対応すれば良いためメンテナンスが容易になる。
【発明を実施するための最良の形態】
【０００９】
以下、本発明の一実施の形態による外部機器の詳細資料の閲覧方法について図面を参照しつつ詳細に説明を行う。図１は本実施の形態による外部機器の詳細資料の閲覧方法（以下、「閲覧方法」、「閲覧システム」などと称する。）を実行するためのシステム構成例を示す図である。図１に示すように、本実施の形態による閲覧システムは、情報を取得する対象である外部機器（例えばＲＡＩＤなど）１と、外部機器１から取得した情報を表示するためのWWWブラウザ４を動作させるためのパソコン/ワークステーション３と、WWWブラウザ４からの検索要求を解釈し要求内容に応える検索処理を行う情報検索機器２と、を有しており、これらはＬＡＮ又はＷＡＮあるいはこれらの混在した形態を有するネットワーク５により互いに接続されている。
【００１０】
図２は、図１に示す外部機器１内の構成例を示す図である。図２に示すように、外部機器１内には、外部機器１の現在及び過去の機器状態（例えば、起動、起動完了、フォーマット、その他のイベント発生など）を記録する機器状態格納領域１０と、ネットワーク５内における情報検索機器２の位置を特定するURL(Uniform Resource Locator)を保持するURL格納領域６と、外部機器１が機器状態格納領域１０に保存する情報に対応した情報コード８とこの情報について簡潔に表した簡略メッセージ９とを対にして格納する情報コード・簡略メッセージ格納領域７と、WWWブラウザ４からの要求を受け付けるためのWWWサーバ１４と、URL格納領域６にリンクされている情報検索機器に保持されている情報を参照・設定する処理を行うためのURL参照・設定画面作成プログラム１１と、URL格納領域６に保持された情報を更新する処理を行うためのURL設定プログラム１２と、機器状態格納領域１０に保存された情報を参照するための処理を行う機器状態表示画面作成プログラム１３と、が設けられている。
【００１１】
尚、外部機器１が機器状態格納領域１０に保存する情報は例えば情報を識別するためのＩＤであり、複数の情報コードが存在する（図９参照）。情報コード８と簡略メッセージ９とは２つで１組の情報コード・簡略メッセージとして扱われ、外部機器１が機器状態格納領域１０に保存する、ある１つの種類の情報に対し１組の情報コード８と簡易メッセージ９とが対応しており、複数組の情報コード・簡略メッセージが情報コード・簡略メッセージ格納領域７に収められている（図８参照）。
【００１２】
図３は、情報検索機器２の構成例を示す図である。図３に示すように、情報検索機器２は、外部機器１が情報コード・簡略メッセージ格納領域７に保存しているそれぞれの情報に関し詳しく説明を行っている詳細資料１５を保存する記憶装置（データベース）１６と、記憶装置１６に保存されている詳細資料１５に関する処理を行うデータベースシステム１７と、WWWブラウザ４からの要求を受け付けるためのWWWサーバ１９と、WWWサーバ１９を介したWWWブラウザ４からの要求内容を解釈し、データベースシステム１７に対して要求された詳細資料１５の検索処理を指示し、検索結果に基づいてWWWブラウザ４からの要求に対する応答画面を作成する検索結果画面作成プログラム１８と、を有している。
情報検索機器を設けることにより、データ容量の大きな詳細情報に関しては、各外部機器（図１）内に保存しておく必要がなくなるため、外部機器に専用の大きな記憶領域を確保しなくてもよい。
【００１３】
図４〜図６までは、パソコン／ワークステーション３上のWWWブラウザ４に表示される画面の表示例を示す図である。図４は、URL格納領域６に保持された情報を参照、設定するためのURL参照・設定画面２０の表示例を示す図である。図４に示すように、URL参照・設定画面２０は、編集可能なURL情報表示・入力フォーム２１を有している。このURL情報表示・入力フォーム２１には、図２に示すURL格納領域６に保持されている情報が表示される。さらに、URL参照・設定画面２０にはURL設定ボタン２２が設けられており、このURL設定ボタン２２を押すことにより、URL情報表示・入力フォーム２１に記述された内容をHTTPプロトコルに沿ってURL格納領域６に設定することができる。例えば、図２のURL格納領域６が空白の場合に、URL情報表示・入力フォーム２１に入力しURL設定ボタン２２を押すことにより、入力されたURLがURL格納領域６に表示される。新たなURLに変更する場合も同様に操作することができる。
【００１４】
図５は、情報閲覧の対象としたい外部機器１の機器状態格納領域１０内の情報を閲覧するためのユーザインターフェイスとして表示される外部機器１の状態表示画面２３であって、パソコン／ワークステーション３上における表示例を示す図である。図５に示すように、パソコン／ワークステーション３上における外部機器の状態表示画面２３には、外部機器状態表示フォーム２４が配置されており、外部機器状態表示フォーム２４に機器状態格納領域１０（図２）内の情報についての外部機器状態簡略メッセージ２５が表示される。またこの外部機器状態表示フォーム２４内に表示された各外部機器状態簡略メッセージ２５は選択可能になっており、外部機器状態簡略メッセージ２５が選択された状態で外部機器の状態表示画面２３内に配置された詳細情報表示ボタン２７を押すと、URL格納領域６（図２）に設定された情報検索機器２に対して、選択された外部機器状態簡略メッセージ２６についての詳細情報を取得するための要求を行う。
【００１５】
図６は、外部機器１（図１）の状態表示画面２３（図５）から情報検索機器２に対して詳細情報取得要求を行った際に得られる詳細情報表示画面であって、パソコン／ワークステーション３上における表示例を示す図である。この際、パソコン／ワークステーション３上において、図５に示す状態表示画面２３の表示が図６に示す詳細情報表示画面２８の表示に切り替わるようにしても良いし、図５の表示に加えて新たなウィンドウとして図６の表示が行われるようにしても良い。図６に示すように、詳細情報表示画面２８内に、外部機器１の状態表示画面２３で選択された外部機器状態簡略メッセージ２５に関する詳細な情報である詳細情報本文２９が表示される。詳細情報本文２９は、インデックスＸＸＸＸまたはＹＹＹＹに関する詳細な情報、例えば、外部機器の現在状態とその現在状態に問題がある場合のユーザや保守のサービスマンが採るべき対応策やそれに関するヒントなどの情報が表示される。これにより、ユーザやサービスマンなどは、外部機器の問題点を解決する手がかりを得ることも可能である。
【００１６】
次に、外部機器１又は情報検索機器２に組み込まれた組込みプログラムと、WWWブラウザ４における処理の流れ（動作）について図面を参照しつつ説明を行う。上述の各図面を適宜参照する。まず、パソコン／ワークステーション３のWWWブラウザ４が、指定されたURLにあるファイルの取得要求を行う（図１の矢印ＡＲ１）。この際、WWWブラウザ４が図６に示したURL参照・設定画面２０を表示し、例えばHTTPプロトコルにより、URL参照・設定画面２０に対応付けされたURLのファイルを送るように外部機器１に対して要求する。外部機器１内に搭載されたWWWサーバ１４は、WWWクライアントであるWWWブラウザ４が要求したファイルを返信するのが一般的であるが、本実施の形態によるシステムでは、外部機器１に搭載されたWWWサーバ１４内では上記URL参照・設定画面２０からの入力などにより取得されるファイルは、URL参照・設定画面作成プログラム１１に対応付けされており、WWWブラウザ４のURL参照・設定画面２０を表示した時のファイル送信要求に応じてURL参照・設定画面作成プログラム１１が起動するようになっている。
【００１７】
URL参照・設定画面作成プログラム１１が起動すると、URL格納領域６に保存された情報を取得し、これを図４に示すURL参照・設定画面２０のHTMLページに含めて出力する。WWWサーバ１４は、起動したURL参照・設定画面作成プログラム１１の出力内容を、要求されたファイルの代わりにWWWブラウザ４に返送し、WWWブラウザ４はWWWサーバ１４から返送されてきたHTMLページ内容を解釈してURL参照・設定画面２０を表示する。
【００１８】
外部機器１内にはURL格納領域内容６を更新するURL設定プログラム１２が組み込まれている。このURL設定プログラム１２は、外部機器１に対してのURL設定時に取得要求されるファイルと対応付けされている。URL参照・設定画面２０において、この画面２０内に配置されたURL設定ボタン２２を押すと、WWWブラウザ４はURL参照・設定画面２０内に配置されたURL情報表示・入力フォーム２１の内容を読み取り、読み取った内容を付加して外部機器１に対しURL設定ファイル要求を行う。
【００１９】
外部機器内１に搭載されたWWWサーバ１４はURL設定ファイルの取得要求を受けると、URL設定ファイルに対応づけられたURL設定プログラム１２を起動する。URL設定プログラム１２が起動されると、WWWブラウザ４が付加して送信してきた情報検索機器２へのURL情報を読み取り、これをURL格納領域６に設定し、プログラムによる処理結果としてURL参照・設定画面２０のHTMLページ内容を出力する。この際、URL設定プログラム１２を起動したWWWサーバ１４は、WWWブラウザ４から要求されたURL設定ファイルの代わりにURL設定プログラム１２の出力内容（HTMLページの内容）をWWWブラウザ４に返送する（図１の矢印ＡＲ２）。
【００２０】
この際、WWWブラウザ４が外部機器１に対して、例えば図５に示される外部機器の状態表示画面２３に対応付けされたURLのファイル取得要求を行った場合には、外部機器１内のWWWサーバ１４はURLにより指定されたファイルに対応付けされた機器状態表示画面作成プログラム１３を起動する。機器状態表示画面作成プログラム１３が起動されると、以下に図７（Ａ）、（Ｂ）を参照して説明する処理（状態表示画面作成フローチャートに示される処理）を行い、外部機器の状態表示画面２３を記述するHTMLページの出力を試みる。すなわち、図７（Ａ）、（Ｂ）に示すように、機器状態表示画面作成プログラム１３が起動されると、URL格納領域６に保存された情報を読み取り、出力するHTMLページ内にURL格納領域６に保存された情報を含める(URL情報参照処理３１)。
【００２１】
次に、機器状態格納領域１０に保存された複数の情報のうち１つを読み取り(機器状態取り出し処理３２)、この機器状態格納領域１０から読み取った情報に対応する情報コード８と簡略メッセージ９とを情報コード・簡略メッセージ格納領域７において検索する(情報コード・簡略メッセージ取り出し処理３３)。次に、メッセージ組み立て処理３４では、情報コード・簡略メッセージ格納領域７内において検索された情報コード８と簡略メッセージ９とに基づいて、図５の外部機器状態表示フォーム２４内に表示する外部機器状態簡略メッセージ２５を組み立て、これを出力するHTMLページに含める。さらに、機器状態格納領域１０には複数の情報が収められている場合には、全ての情報を読み取るまで、機器状態取り出し処理３２と情報コード・簡略メッセージ取り出し処理３３とメッセージ組み立て処理３４とを繰り返し行い、図７の外部機器の状態表示画面２３を表示するためのHTMLページを出力する。外部機器内のWWWサーバ１４は起動した機器状態表示画面作成プログラム１３の出力を読み取り、これをWWWブラウザ４に転送する。WWWブラウザ４は外部機器１から送られてきたHTMLページを解釈し、図７の外部機器の状態表示画面２３を出力する。
【００２２】
より具体的に説明すると、機器状態取り出し処理３２では、図９に示す機器状態格納領域１０から、情報コード（例えば情報コード値０００１）を取り出す。情報コード・簡略メッセージ取り出し処理３３では、図８に示す情報コード・簡略メッセージ格納領域７の第１の情報コード値（１）００００と機器状態格納領域１０から読み取った第２の情報コード値０００１とを比較する（３３−１）。この場合は、第１の情報コード値（１）００００と第２の情報コード値０００１が異なるため、情報コード・簡略メッセージ格納領域７から次の第１の情報コード値０００１（２）を読み取り、第２の情報コード値０００１と比較する（３３−２）。第１の情報コード値０００１（２）と第２の情報コード値０００１とが等しいため、情報コード・簡略メッセージ格納領域７から第１の情報コード値０００１（２）に対応する簡略メッセージ９“Ｅ０００１……」を取り出す（３３−３）。メッセージ組み立て処理３４では、引き当てた簡略メッセージ”Ｅ０００１……」をＨＴＭＬの文法に合わせて加工する。
【００２３】
図５に示す外部機器の状態表示画面２３において、同画面、外部機器状態表示フォーム２４内の外部機器状態簡略メッセージ２５が選択された状態で、同外部機器の状態表示画面２３内に配置された詳細情報表示ボタン２７を押すと、WWWブラウザ４は機器状態表示画面作成プログラム１３が外部機器１の状態表示画面２３を表示するためのHTMLページ内に含めた情報検索機器２のURLに対して、外部機器状態表示フォーム２４内の選択された外部機器状態簡略メッセージ２６に関する情報を検索する旨の要求を出す（図１の矢印ＡＲ３）。情報検索機器２への情報検索要求を行うにあたり、WWWブラウザ４は機器状態表示画面作成プログラム１３が外部機器１の状態表示画面２３を表示するためのHTMLページ内に含めた情報コード８（検索キーの相当する）を検索条件として情報検索機器２へ送る。
【００２４】
図３に示す情報検索機器２内に配置された情報検索機器内WWWサーバ１９は、WWWブラウザ４から情報コード８をキーとした検索要求を受けると、情報検索機器２内に配置された検索結果画面作成プログラム１８が起動する。検索結果画面作成プログラム１８が起動すると、WWWブラウザ４からの検索条件を解釈し、情報検索機器２内に配置されたデータベースシステム１７を用いて検索条件に合致する詳細資料１５の取得を試みる。データベースシステム１７は、検索結果画面作成プログラム１８から渡された検索条件に合致する詳細資料１５を記憶装置１６内において検索し、検索の結果得られた情報を検索結果画面作成プログラム１８に返す。検索結果画面作成プログラム１８は、データベースシステム１７の検索結果に基づいて、図６の詳細情報表示画面２８を表示するためのHTMLページを出力する。検索結果画面作成プログラム１８を起動した情報検索機器内WWWサーバ１９は、検索結果画面作成プログラム１８の出力を検索要求元のWWWブラウザ４に転送する（図１の矢印ＡＲ４）。WWWブラウザ４は情報検索機器２から返送されてきたHTMLページの記述に基づいて詳細情報画面２８を表示する。
【００２５】
以上に説明したように、本発明の実施の形態によるシステムでは、以下に述べる利点を有する。対象となる外部機器と情報検索機器とに対してネットワーク接続可能なパソコン又はワークステーション内に一般的なWWWブラウザを実装しておけば、対象となる外部機器に専用端末を設けるなどの追加のハードウェアを設けなくても、参照した情報に関するより詳細な情報を検索・閲覧することができる。これは情報を得る際の端末の種類の制限のみならず、情報を閲覧する場所による制約もなくなる方向であり、情報取得に対する利便性の向上につながる。また対象の外部機器に改変が施され、参照される情報の種類が増減したり、参照される詳細資料自体に刷新が施されたりまたは詳細資料の表示方法に変更が生じたりした場合に、専用端末を使用する方法では、使用している端末を全てこれらの変更に対応させる必要があるが、本実施の形態によるシステムでは、情報検索機器の詳細資料の書き換えれば良く、簡単な処理のみで対応できるためメンテナンスがしやすくなるという利点もある。
【００２６】
尚、本実施の形態によるシステムは、外部機器として例えばネットワーク家電機器と称される家電機器を対象とすることができる。この場合に、家庭のパソコンを利用し、情報検索機器としては、例えば、家電機器用の一般的なパーソナルコンピュータを用いてもよく、あるいは、家電機器メーカのサイトを運営するサーバを用いることも可能である。以上、本発明について例を挙げて説明したが、本発明は、上記実施例に限定されるものではなく、種々の変形が可能である。また、上記実施例において説明した処理を行うプログラムも対象となることはいうまでもない。また、上記の各処理をコンピュータに実行させるためのプログラムも本発明の範疇に入るものである。
【図面の簡単な説明】
【００２７】
【図１】本発明の一実施形態を示す外部機器、情報検索機器、パソコン/ワークステーションを含むネットワーク構成例を示す図である。
【図２】図１に示した外部機器に必要とされる情報、プログラムの構成例を示す図である。
【図３】図１に示す情報検索機器に必要とされる情報、プログラムの構成例を示す図である。
【図４】パソコン/ワークステーションにおける、URL格納領域に保存される情報の参照・設定画面例を示す図である。
【図５】パソコン/ワークステーションにおける、外部機器から取得した機器状態の画面表示例を示す図である。
【図６】パソコン/ワークステーションにおける、情報検索機器から取得した詳細情報の画面表示例を示す図である。
【図７】図７（Ａ）、（Ｂ）は、図２に示す機器状態表示画面作成プログラムの動作を示すフローチャート図である。
【図８】情報コード・情報メッセージ格納領域におけるデータ構成例を示す図である。
【図９】機器状態格納領域におけるデータ構成例を示す図である。
【符号の説明】
【００２８】
１…外部機器、２…情報検索機器、３…パソコン/ワークステーション、４…WWWブラウザ、５…ネットワーク、６…URL格納領域、７…情報コード・簡略メッセージ格納領域、８…情報コード、９…簡略メッセージ、１０…機器状態格納領域、１１…URL参照・設定画面作成プログラム、１２…URL設定プログラム、１３…機器状態表示画面作成プログラム、１４…外部機器内のWWWサーバ、１５…詳細資料、１６…記憶装置、１７…データベースシステム、１８…検索結果画面作成プログラム、１９…情報検索機器内WWWサーバ、２０…URL参照・設定画面、２１…URL情報表示・入力フォーム、２２…URL設定ボタン、２３…外部機器の状態表示画面、２４…外部機器状態表示フォーム、２５…外部機器状態簡略メッセージ、２６…選択された外部機器状態簡略メッセージ、２７…詳細情報表示ボタン、２８…詳細情報表示画面、２９…詳細情報本文、３０…状態表示画面作成フローチャート、３１…URL情報参照処理、３２…機器状態取り出し処理、３３…情報コード・簡略メッセージ取り出し処理、３４…メッセージ組み立て処理。
【図１】
2005242578.tif 000003
【図２】
2005242578.tif 000004
【図３】
2005242578.tif 000005
【図４】
2005242578.tif 000006
【図５】
2005242578.tif 000007
【図６】
2005242578.tif 000008
【図７】
2005242578.tif 000009
【図８】
2005242578.tif 000010
【図９】
2005242578.tif 000011